(57)【要約】【課題】  薄型テレビのガラス板への好適な取付構造を提示すると共に、ガラス板に固定した薄型テレビをテレビ用ブラケットに簡単に取り付け可能な薄型テレビのガラス板への取付構造を提供する。【解決手段】  長方形のガラス板１の裏面１ｂに長方形木枠２を固定し、長方形木枠２の内側に薄型テレビ３をその画面が接するように宛がい、２本の横支持杆４を薄型テレビ３の背面３ｂの上下２か所に水平方向に接触させ、各横支持杆４の左右の各延長端部４ａ，４ｂを各々対応する長方形木枠２の左右の垂直辺部２ａ，２ｂに接触させ、固定手段５を以って各延長端部４ａ，４ｂを左右の各垂直辺部２ａ，２ｂに固定することにより薄型テレビ３をガラス板裏面１ｂに固定し、２本の横支持杆４に直交する垂直方向のフック金具６を両横支持杆４に架設固定し、該フック金具６は薄型テレビ３の背面方向に向いたフック６ａを有している構造とする。【選択図】  図３
2017103757.tif 000002
【特許請求の範囲】
【請求項１】
長方形のガラス板の裏面に、該ガラス板と外周が一致する大きさ又は上記ガラス板より若干小さい大きさの長方形木枠を固定し、
上記長方形木枠内のエリアにおける上記ガラス板の裏面に、薄型テレビの画面を宛がい、
２本の横支持杆を上記薄型テレビの背面の上下２か所に、水平方向に接触させると共に、上記各横支持杆の左右の各延長端部が、各々対応する上記長方形木枠の左右の垂直辺部に接触するように構成し、
上記薄型テレビは固定手段を以って上記各延長端部を左右の上記各垂直辺部に固定することにより上記ガラス板に固定されており、
上記２本の横支持杆に直交する垂直方向のフック金具が上記両横支持杆に架設固定されており、
該フック金具は上記薄型テレビの上記背面の方向に向いたフックを有しているものであることを特徴とする薄型テレビのガラス板への取付構造。
【請求項２】
前後方向伸縮機構の前面部に水平支持軸を設け、上記前後方向伸縮機構の裏面側の固定部を垂直固定板に接続固定したテレビ用ブラケットを設け、
上記テレビ用ブラケットの上記水平支持軸に、上記薄型テレビの上記背面の上記フック金具の上記フックを掛止したものであることを特徴とする請求項１記載の薄型テレビのガラス板への取付構造。
【請求項３】
上記薄型テレビの上記背面に穴が設けられており、
上記フック金具と上記横支持杆とを貫通する螺子が上記背面の上記穴に螺着されているものである請求項１又は２記載の薄型テレビのガラス板への取付構造。
【請求項４】
上記横支持杆の上記薄型テレビの上記背面に対応する部分の形状は、固定する上記薄型テレビの上記背面の左右のコーナ部の凸形状に沿った凹形状部分を左右に有しており、
上記薄型テレビの固定状態において、上記横支持杆の左右の上記凹形状部分が上記薄型テレビの上記背面の左右の上記凸形状に密着しているものであることを特徴とする請求項１〜３の何れかに記載の薄型テレビのガラス板への取付構造。
【請求項５】
上記ガラス板は背面側から前面側に光を透過する半透過ガラスとし、
通常は、上記ガラス板の前面には何らテレビ画面は表示されておらず、
上記薄型テレビをオン状態としたときのみ、上記ガラス板の前面にテレビ画面が浮き上がるように構成したものである請求項１〜４の何れかに記載の薄型テレビのガラス板への取付構造。
【請求項６】
請求項２に記載の薄型テレビのガラス板への取付構造を使用した収納棚であり、
上記垂直固定板を背面板として収納棚の中央部に上記薄型テレビの前面側の上記ガラス板を配置し、
かつ上記薄型テレビの上記ガラス板の上下辺に沿って上部収納棚及び下部収納棚を各々設けると共に、上記ガラス板の左右辺に沿って左部収納棚及び右部収納棚を各々設け、
上記上下部収納棚及び左右部収納棚の各前面側に各々収納扉を設け、
上記各収納扉の前面と上記薄型テレビの上記ガラス板の前面が面一となるように構成したものである薄型テレビのガラス板への取付構造を使用した収納棚。
【請求項７】
上記ガラス板は背面側から前面側に光を透過する半透過ガラスとし、
通常は、上記ガラス板の前面には何らテレビ画面は表示されておらず、
上記薄型テレビをオン状態としたときのみ、上記ガラス板の前面にテレビ画面が浮き上がるように構成したものである請求項６に記載の薄型テレビのガラス板への取付構造を使用した収納棚。
【請求項８】
上記収納棚の上記各収納扉の前面に、上記薄型テレビの上記ガラス板と同様の半透過ガラスを取着したものである請求項６又は７記載の薄型テレビのガラス板への取付構造を使用した収納棚。
【請求項９】
請求項２に記載の薄型テレビのガラス板への取付構造を使用した収納棚であり、
上記垂直固定板を背面板として収納棚に上記薄型テレビの前面側の上記ガラス板を配置し、
かつ上記薄型テレビの上記ガラス板の上辺又は下辺に沿って上部収納棚又は下部収納棚を設けると共に、
上記ガラス板の左辺又は右辺に沿って左部収納棚又は右部収納棚を設け、
上記上下部収納棚又は左右部収納棚の前面側に各々収納扉を設け、
上記各収納扉の前面と上記薄型テレビの上記ガラス板の前面が面一となるように構成したものである薄型テレビのガラス板への取付構造を使用した収納棚。
【発明の詳細な説明】
【技術分野】
【０００１】
本発明は、例えば液晶テレビ等の薄型テレビのガラス板への取付構造及びそれを使用した薄型テレビ付の収納棚に関するものである。
【背景技術】
【０００２】
従来、装飾用に額縁の内部に薄型テレビジョン受像機（以下、薄型テレビという）を固定し、該額縁を壁に掛け、テレビ画面に静止画像を写すことにより、薄型テレビを装飾用に用いられるものが提案されている（特許文献１）。
【０００３】
また、薄型テレビを強化ガラスの裏面側に固定して、浴室用のテレビとすることが提案されている（特許文献２）。
【先行技術文献】
【特許文献】
【０００４】
【特許文献１】特開２００６−１２９４１２号公報
【特許文献２】特開２００４−２０８０４６号公報
【発明の概要】
【発明が解決しようとする課題】
【０００５】
ところで、特許文献１では、薄型テレビの額縁への固定構造については、何ら触れておらず、どのような構造で薄型テレビを額縁に固定するのかが明らかでない。
【０００６】
また、特許文献２では、外枠内部に固定された押え枠を介して強化ガラスとテレビ受像機をネジ棒とナットで上記外枠の内側に取り付ける構造が開示されているが、テレビ受像機は、強化ガラスと共に外枠の内側に固定される構造であり、テレビ受像機をガラス板そのものに取り付ける構造でない。また、テレビ受像機は、外枠内部に完全に固定されてしまい位置変化等は一切できない構造である。
【０００７】
本発明は上記従来の課題に鑑みてなされたものであり、薄型テレビのガラス板への取付構造を提示すると共に、ガラス板の取り付けられた薄型テレビをガラス板毎、位置変更可能とした薄型テレビのガラス板への取付構造を提供することを目的とする。
【０００８】
また、本発明は、上述のようなガラス板に取り付けられた薄型テレビを具備する薄型テレビ付の収納棚を提供することを目的とする。
【課題を解決するための手段】
【０００９】
上記の目的を達成するため本発明は、
第１に、長方形のガラス板の裏面に、該ガラス板と外周が一致する大きさ又は上記ガラス板より若干小さい大きさの長方形木枠を固定し、上記長方形木枠内のエリアにおける上記ガラス板の裏面に、薄型テレビの画面を宛がい、２本の横支持杆を上記薄型テレビの背面の上下２か所に、水平方向に接触させると共に、上記各横支持杆の左右の各延長端部が、各々対応する上記長方形木枠の左右の垂直辺部に接触するように構成し、上記薄型テレビは固定手段を以って上記各延長端部を左右の上記各垂直辺部に固定することにより上記ガラス板に固定されており、上記２本の横支持杆に直交する垂直方向のフック金具を上記両横支持杆に架設固定し、該フック金具は上記薄型テレビの上記背面の方向に向いたフックを有しているものであることを特徴とする薄型テレビのガラス板への取付構造により構成される。
【００１０】
このように構成すると、各種のメーカのテレビであってもガラス板への取り付けを円滑に行うことができ、また、上記フック金具のフックを例えば前後方向伸縮可能なテレビ用ブラケットに装着することで、前後方向に位置変更可能な薄型テレビのガラス板への取付構造を実現できる。
【００１１】
第２に、前後方向伸縮機構の前面部に水平支持軸を設け、上記前後方向伸縮機構の裏面側の固定部を垂直固定板に接続固定したテレビ用ブラケットを設け、上記テレビ用ブラケットの上記水平支持軸に、上記薄型テレビの上記背面の上記フック金具の上記フックを掛止したものであることを特徴とする上記第１記載の薄型テレビのガラス板への取付構造により構成される。
【００１２】
このように構成すると、薄型テレビをガラス板共々、前後方向に移動可能とすることができ、例えば薄型テレビのメンテナンス性を高めることができる。
【００１３】
第３に、上記薄型テレビの上記背面に穴が設けられており、上記フック金具と上記横支持杆とを貫通する螺子が上記背面の上記穴に螺着されているものである上記第１又は２記載の薄型テレビのガラス板への取付構造により構成される。
【００１４】
このように構成すると、フック金具と横支持杆を薄型テレビに確実に固定することができる。
【００１５】
第４に、上記横支持杆の上記薄型テレビの上記背面に対応する部分の形状は、固定する上記薄型テレビの上記背面左右のコーナ部の凸形状に沿った凹形状部分を左右に有しており、上記薄型テレビの固定状態において、上記横支持杆の左右の上記凹形状部分が上記薄型テレビの上記背面の左右の上記凸形状に密着しているものであることを特徴とする上記第１〜３の何れかに記載の薄型テレビのガラス板への取付構造により構成される。
【００１６】
このように構成すると、横支持杆の形状を薄型テレビのコーナ部の凸形状に沿った形状にすることにより、各種メーカの薄型テレビであっても単一の取り付け構造にてガラス板に取り付けることが可能となる。
【００１７】
第５に、上記ガラス板は背面側から前面側にのみ光を透過する半透過ガラスとし、通常は、上記ガラス板前面には何らテレビ画面は表示されておらず、上記薄型テレビをオン状態としたときのみ、上記ガラス板の前面にテレビ画面が浮き上がるように構成したものである上記第１〜４の何れかに記載の薄型テレビのガラス板への取付構造により構成される。
【００１８】
このように構成すると、薄型テレビをオン状態としたときのみテレビ画面をガラス板の前面に表示することができ、装飾効果の高いテレビとして好適に用いることができる。
【００１９】
第６に、上記第２に記載の薄型テレビのガラス板への取付構造を使用した収納棚であり、上記垂直固定板を背面板として収納棚の中央部に上記薄型テレビの前面側の上記ガラス板を配置し、かつ上記薄型テレビの上記ガラス板の上下辺に沿って上部収納棚及び下部収納棚を設けると共に、上記ガラス板の左右辺に沿って左部収納棚及び右部収納棚を設け、上記上下部収納棚及び左右部収納棚の前面側に各々収納扉を設け、上記各収納扉の前面と上記薄型テレビの上記ガラス板の前面が面一となるように構成したものである薄型テレビのガラス板への取付構造を使用した収納棚により構成される。
【００２０】
第７に、上記ガラス板は背面側から前面側に光を透過する半透過ガラスとし、通常は、上記ガラス板前面には何らテレビ画面は表示されておらず、上記薄型テレビをオン状態としたときのみ、上記ガラス板の前面にテレビ画面が浮き上がるように構成したものである上記第６に記載の薄型テレビのガラス板への取付構造を使用した収納棚により構成される。
【００２１】
第８に、上記収納棚の上記収納扉の前面に、上記薄型テレビの上記ガラス板と同様の半透過ガラスを取着したものである上記第６又は７記載の薄型テレビのガラス板への取付構造を使用した収納棚により構成される。
【００２２】
第９に、上記第２に記載の薄型テレビのガラス板への取付構造を使用した収納棚であり、上記垂直固定板を背面板として収納棚に上記薄型テレビの前面側の上記ガラス板を配置し、かつ上記薄型テレビの上記ガラス板の上辺又は下辺に沿って上部収納棚又は下部収納棚を設けると共に、上記ガラス板の左辺又は右辺に沿って左部収納棚又は右部収納棚を設け、上記上下部収納棚又は左右部収納棚の前面側に各々収納扉を設け、上記各収納扉の前面と上記薄型テレビの上記ガラス板の前面が面一となるように構成したものである薄型テレビのガラス板への取付構造を使用した収納棚により構成される。
【発明の効果】
【００２３】
本発明によれば、上下一対の横支持杆によって、薄型テレビをガラス板に確実に固定し得るので、例えば、薄型テレビのメーカ等が異なっても薄型テレビを確実にガラス板に固定することができるし、背面側のフックにより、例えば既存の壁掛テレビ用ブラケットの水平支持軸に掛止することができる。
【００２４】
また、薄型テレビのコーナ部の形状に応じて横支持杆の形状を変更することで、どのメーカの薄型テレビであっても同一取付構造にて対応することができる。
【００２５】
また、ガラス板を半透過ガラスとすることで、通常はガラス面とし、薄型テレビをオン状態としたときのみテレビ画面をガラス板の前面に表示することができ、装飾用テレビとしても好適に用いることができる。
【００２６】
また、上記薄型テレビが固定されたガラス板を中央等に配置した収納棚とすることで、薄型テレビ付のファッショナブルな収納棚を実現することができる。
【図面の簡単な説明】
【００２７】
【図１】本発明に係る薄型テレビのガラス板への取付構造の分解斜視図である。
【図２】（ａ）は同上構造の背面図、（ｂ）は同上構造の側面図である。
【図３】同上構造の背面斜視図である。
【図４】同上構造を使用した収納棚の縦断面図である。
【図５】（ａ）（ｂ）共に同上構造を使用した収納棚の横断面図である。
【図６】（ａ）（ｂ）共に同上構造を使用した収納棚の縦断面図である。
【図７】同上構造を使用した収納棚の背面図である。
【図８】同上構造を使用した収納棚の斜視図である。
【図９】同上構造を使用した収納棚の開閉扉を開けた状態の収納棚である。
【図１０】同上構造のフック金具の取り付け部近傍の縦断面図である。
【発明を実施するための形態】
【００２８】
以下、本発明に係る薄型テレビのガラス板への取付構造及びそれを使用した収納棚について詳細に説明する。尚、本発明においては、薄型テレビジョン受像機を略して薄型テレビという。
【００２９】
薄型テレビのガラス板への取付構造は次のような構造である。
長方形のガラス板１の裏面１ｂに、該ガラス板１と外周が一致する大きさ又は上記ガラス板１より若干小さい大きさの長方形木枠２を接着により固定し、上記長方形木枠２内のエリアにおける上記ガラス板１の裏面１ｂに、薄型テレビ３をその画面３ａが接するように宛がう。尚、上記長方形木枠２は、本件発明では全体として木枠と称するが、木製のみならず、樹脂製、金属製（アルミ、鉄等）を含む概念である。また、上記薄型テレビ３の画面の表面側の周囲に、上記画面と同じ大きさの厚さの薄い（数ミリ）の長方形枠状弾性板を貼着した上で、上記薄型テレビ３の画面を上記ガラス板１の裏面に接するように宛がう構成でも良い。この場合、薄型テレビ３の画面とガラス板１の裏面との間に数ミリの均一な空間が形成されるため、テレビ画面とガラス板との部分的な接触を避けることができる。このように、ガラス板１の裏面に薄型テレビ３の画面を宛がう。
【００３０】
そして、２本の横支持杆４，４を、上記薄型テレビ３の背面３ｂの上下２か所Ａ，Ｂに、水平方向に各々接触させると共に、上記各横支持杆４，４の左右の各延長端部４ａ，４ｂを、各々対応する上記長方形木枠２の左右の垂直辺部２ａ，２ｂに接触するように構成し、木ネジ５等の固定手段を以って上記各延長端部４ａ，４ｂを左右の上記各垂直辺部２ａ，２ｂに固定することにより、上記薄型テレビ３を上記ガラス板１に固定する。これにより、上記薄型テレビ３の前面側は上記ガラス板１の裏面１ｂに圧着固定された状態になる。
【００３１】
そして、上記２本の横支持杆４，４に直交する垂直方向のフック金具６，６を、上記両横支持杆４，４にビス（螺子）７にて架設固定する（図３参照）。このフック金具６，６には、上記薄型テレビ３の上記背面方向に向いたフック６ａ，６ａを具備している。上記フック金具６，６を固定するためのビス７は、各々上下の上記横支持杆４，４に螺子込まれ、上記フック金具６，６と上記各横支持杆４，４が固定される。また、図１０に示すように、上記薄型テレビ３の背面３ｂにおける上記ビス７の螺着位置の対応位置にビス穴３ｄが設けられており、上記ビス７を上記フック金具６，６、上記各横支持杆４，４を貫通して上記背面３ｂのビス穴（穴）３ｄにねじ込むように構成しても良い。このようにすると、上記横支持杆４，４と上記フック金具６，６と上記薄型テレビ３をより強固に固定することができる。
【００３２】
また、薄型テレビ３の背面３ｂのビス穴３ｄの位置はメーカによって異なる場合があるので、上記フック金具６，６の上記ビス７の螺着位置に、上下方向に複数の貫通穴６ｂ或いは長穴６ｃを設け、上記薄型テレビ３の背面３ｂの上記ビス穴に対応する位置の貫通穴６ｂ、或いは長穴６ｃから上記ビス７を螺合して、上記フック金具６，６、各横支持杆４，４を薄型テレビ３の背面３ｂに固定しても良い。この場合、上記横支持杆４，４は上記背面３ｂのビス穴の対応位置に配置される。このように構成すると、各種のメーカの薄型テレビに対応した薄型テレビのガラス板への取り付け構造を提供することができる。尚、上記ビス７は木ネジその他の螺子或いはボルトでも良いし、上記ビス穴３ｄは雌螺子が形成された螺子穴でも良いし、雌螺子の形成されていない貫通穴であっても良い。
【００３３】
次に、テレビ用ブラケット８について説明する（図４，５参照）。
このテレビ用ブラケット８は、前後方向伸縮機構８’の前面部９に水平支持軸１０，１０を設け、上記前後方向伸縮機構８’の裏面側の固定部１１を垂直固定板１２に接続固定されており、上記テレビ用ブラケット８の上記水平支持軸１０，１０に、上記薄型テレビの上記背面側の上記フック金具のフック６ａ，６ａを掛止し得るように構成されている。
【００３４】
上記前後方向伸縮機構８’は、上記固定部１１を以って上記垂直固定板１２に固定された垂直軸１２ａ，１２ａに軸支されたリンク１３，１３と、該リンク１３，１３の前端に軸支された垂直軸１４，１４と、該垂直軸１４，１４と上記前面部９に設けられた垂直軸１５，１５間に軸支されたリンク１６，１６から構成されており、上記水平支持軸１０，１０を前後方向に移動し得るように構成されている。
【００３５】
従って、上記薄型テレビ３の上記フック金具６，６を上記水平支持軸１０，１０に掛止した状態においては、上記薄型テレビ３を上記ガラス板１と共に、上記垂直固定板１２に対して前後方向に移動し得るように構成されている（図６（ａ）（ｂ）参照）。即ち、垂直支持軸（垂直軸１２ａ，１４，１５）の周りに回転方向に回動自在に取り付けられた水平支持軸１０，１０と、上記垂直支持軸を前後方向に移動可能に支持する前後方向伸縮機構８’とを具備し、上記前後方向伸縮機構８’の裏面側の固定部１１を垂直固定板１２に接続固定し得るテレビ用ブラケット８を設け、上記テレビ用ブラケット８の上記水平支持軸１０，１０に、上記薄型テレビ３の上記フック６ａ，６ａを掛止し得るように構成している。
【００３６】
上記横支持杆４，４の上記薄型テレビ３の上記背面３ｂに対応する部分の形状は、固定する上記薄型テレビ３の上記背面左右のコーナ部３ｃ，３ｃの凸形状に沿った左右の凹形状部分４ｃ，４ｃを有しており（図３参照）、上記薄型テレビ３の固定状態において、上記横支持杆４，４の左右の上記凹形状部分４ｃ，４ｃが、上記薄型テレビ３の背面３ｂの左右の上記凸形状に密着するように構成されている。これにより、上下２本の横支持杆４，４を以って上記薄型テレビ３は、上記ガラス板１の裏面側に固定される。
【００３７】
また、上記ガラス板１は、前面１ａ側から背面１ｂには光は透過し難いが、背面１ｂ側から前面１ａ側には光を透過し易い半透過ガラス（例えばハーフミラーガラス）とし、通常は、上記ガラス板１前面１ａには何らテレビ画面は表示されておらず、上記薄型テレビ３をオン状態としたときのみ、ガラス板１前面１ａにテレビ画面１３ａが浮き上がるように構成されている（図８参照）。上記半透過ガラスは、例えば前面１ａ側に鏡面加工を施すことにより、ハーフミラーガラスとしても良い。
【００３８】
次に、上記薄型テレビのガラス板への取付構造を使用した収納棚１７について説明する。
上記収納棚１７は以下のように構成されている（図８参照）。
【００３９】
上記垂直固定板１２を背面板として固定し、収納棚１７の例えば中央部に上記薄型テレビ３の前面３ａ側の上記ガラス板１を配置し（例えば収納棚１７のガラス板１の右側にのみ右部収納棚が設けられる場合は、ガラス板１は収納棚１７の中央部とはいえない）、かつ上記薄型テレビ３の上記ガラス板の上下辺に沿って上部収納棚１８及び下部収納棚１９を設けると共に、上記ガラス板１の左右辺に沿って左部収納棚２０，２１，２２及び右部収納棚２３，２４，２５を設け、上記上下部収納棚１８，１９及び左右部収納棚２０〜２５の前面に各々収納扉１８’，１９’，２０’，２１’，２２’，２３’，２４’，２５’を設け、上記各収納扉１８’〜２５’の前面と上記薄型テレビ３の上記ガラス板１の前面が面一となるように構成されている。
【００４０】
尚、１８ａ，１９ａ，２０ａ，２１ａ，２２ａ，２３ａ，２４ａ，２５ａは、上記各収納扉１８’〜２５’の開閉用の取手であり、各収納扉１８’〜２５’を閉鎖したときは、各取手が縦横に一直線状に配置され、各収納棚を碁盤の目状に分割する区画線の役割を果たしている。これらの取手は、上記各収納扉の前面より、前方側に突出して位置しており、各収納扉１８’〜２５’の前面は、これらの取手によって分断されているが、各収納扉の前面の位置は同一であるので、このように取手１８ａ〜２５ａが介在している場合においても、各収納扉の前面は面一であるという。従って、上記ガラス板１の前面１ａと上記各収納扉の前面も面一となっている。
【００４１】
また、上記収納棚の収納扉１８’〜２５’の前面側に、上記薄型テレビ３の上記ガラス板１と同様の半透過ガラス（例えばハーフミラーガラス）を取着しても良い。
【００４２】
従って、本発明に係る収納棚１７においては、薄型テレビ３は、図５（ｂ）、図６（ａ）に示す収納状態から、ガラス板１を以って手前に引き出すことにより、図５（ａ）、図６（ｂ）に示すように、薄型テレビ３を手前に若干引き出すことができる。これにより、ガラス板１の背面１ｂと上記収納棚１７内との間に空間が生ずるため、このようにガラス板１を引き出すことにより、例えば薄型テレビ３に内臓のスピーカの音声を明瞭に聞き取ることができるようになる。尚、上記ガラス板１を引き出した状態において、当該ガラス板１を左右方向に角度変化することもできる。
【００４３】
上記実施形態の収納棚（図８参照）は、上記ガラス板１の上下及び左右に収納棚を設けたものであるが、上記収納棚は、ガラス板１の上辺側のみ又は下辺側のみに設けても良いし、上記ガラス板１の左辺側のみ又は右辺側のみに設けても良い。即ち、上記垂直固定板１２を背面板として収納棚に上記薄型テレビ３の前面側の上記ガラス板１を配置し、かつ上記薄型テレビ３の上記ガラス板１の上辺又は下辺に沿って上部収納棚１８又は下部収納棚１９を設けると共に、上記ガラス板１の左辺又は右辺に沿って左部収納棚２０〜２２又は右部収納棚２３〜２５を設け、上記上下部収納棚又は左右部収納棚の前面側に各々収納扉１８’〜２５’を設け、上記各収納扉の前面と上記薄型テレビ３の上記ガラス板１の前面が面一となるように構成しても良い。
【００４４】
以上のように、本発明によれば、上下一対の横支持杆４によって、薄型テレビ３をガラス板１に確実に固定し得るので、例えば、薄型テレビのメーカ等が異なっても薄型テレビ３を確実にガラス板１に固定することができるし、背面側のフック６ａにより、例えば既存の壁掛テレビ用ブラケット８の水平支持軸１０に掛止することができる。
【００４５】
また、薄型テレビ３のコーナ部３ｃの形状に応じて横支持杆４の形状を変更することで、どのメーカの薄型テレビであっても同一取付構造にて対応することができる。
【００４６】
また、ガラス板１を半透過ガラス（ハーフミラーガラス等）とすることで、通常はガラス面とし、薄型テレビ３をオン状態としたときのみテレビ画面をガラス板１の前面に表示することができ、装飾用テレビとしても好適に用いることができる。
【００４７】
また、上記薄型テレビ３が固定されたガラス板１を中央に配置した収納棚１７とすることで、薄型テレビ付のファッショナブルな収納棚を実現することができる。
【産業上の利用可能性】
【００４８】
本発明に係る薄型テレビのガラス板への取付構造及びそれを使用した収納棚によると、例えば大型薄型テレビ付のファッショナブルな収納棚を実現することができ、例えば富裕層向けの付加価値の高い家具として期待されるものである。
【符号の説明】
【００４９】
１          ガラス板
２          長方形木枠
３          薄型テレビ
３ｂ        背面
３ｃ        コーナ部
４          横支持杆
４ａ，４ｂ  延長端部
４ｃ        凹形状部分
５          木ネジ（固定手段）
６          フック金具
６ａ        フック
８          テレビ用ブラケット
８’        前後方向伸縮機構
１０        水平支持軸
１１        固定部
１２        垂直固定板
１７        収納棚
１８        上部収納棚
１９        下部収納棚
２０〜２２  左部収納棚
２３〜２５  右部収納棚
１８’〜２５’  収納扉
【図１】
2017103757.tif 000003
【図２】
2017103757.tif 000004
【図３】
2017103757.tif 000005
【図４】
2017103757.tif 000006
【図５】
2017103757.tif 000007
【図６】
2017103757.tif 000008
【図７】
2017103757.tif 000009
【図８】
2017103757.tif 000010
【図９】
2017103757.tif 000011
【図１０】
2017103757.tif 000012